(57)【要約】  ワイヤレス通信のペイロードを復号するために使用される判定メトリックは、連続するフレームについて合成されて、後に受信されるフレームの復号を改善する。連続するフレーム間のビット単位のペイロード差分は、上記ペイロードが符号化されたのと同じ手法で符号化される。先に受信されたフレームについて決定された判定メトリックは、調整された判定メトリックを生成するために、符号化されたペイロード差分と合成される。調整された判定メトリックは、後に受信されるフレームについて決定される判定メトリックと合成される。合成された判定メトリックは、後に受信されたフレームについてペイロードを生成するために復号される。復号が成功しなかった場合、合成された判定メトリックは、次に繰り越され、上記プロセスが、後続のフレーム間のペイロード差分に基づいて、繰り返される。
2013504978.tif 000002
【特許請求の範囲】
【請求項１】
第１のペイロードを搬送する第１のフレームについて第１の判定メトリックを決定することと、
第２のペイロードを搬送する第２のフレームについて第２の判定メトリックを決定することと、
前記第２のペイロードと前記第１のペイロードとの間のペイロード差分を決定することと、
合成された判定メトリックを得るために、前記ペイロード差分に基づいて、前記第１および第２の判定メトリックを合成することと、
復号された第２のペイロードを得るために、前記合成された判定メトリックを復号することと
を含む、ワイヤレス通信方法。
【請求項２】
前記第１および第２の判定メトリックは、コードビットに関する対数尤度比（ＬＬＲ）を含む、請求項１に記載の方法。
【請求項３】
前記第１および第２の判定メトリックを前記合成することは、
調整された第１の判定メトリックを得るために、前記ペイロード差分に基づいて、前記第１の判定メトリックを修正することと、
前記合成された判定メトリックを得るために、前記調整された第１の判定メトリックと前記第２の判定メトリックとを合成することと
を含む、請求項１に記載の方法。
【請求項４】
コードビットを得るために、前記第１のペイロードおよび前記第２のペイロードを符号化するために使用された線形コードに基づいて、少なくとも前記ペイロード差分を符号化すること
を含む、請求項３に記載の方法。
【請求項５】
少なくとも前記ペイロード差分を前記符号化することは、
前記ペイロード差分について巡回冗長検査（ＣＲＣ）を生成することと、
前記コードビットを得るために、前記第１のペイロードおよび前記第２のペイロードを符号化するために使用された線形コードに基づいて、前記ペイロード差分および前記ＣＲＣを符号化することと
を含む、請求項４に記載の方法。
【請求項６】
前記修正することは、
前記ペイロード差分に関して得られた各コードビットについて、前記第１の判定メトリックの符号を、前記コードビットが第１の値を有するときには前記コードビットのための第１の判定メトリックの前記符号を反転し、前記コードビットが第２の値を有するときには前記コードビットのための前記第１の判定メトリックの前記符号を維持することによって、調整すること
を含む、請求項２に記載の方法。
【請求項７】
各ペイロードは、第１の部分と第２の部分とを含み、前記ペイロード差分を前記決定することは、
前記第１および第２のペイロードの前記第１の部分は変化せず、かつ、前記第２の部分は前記第１のペイロードから前記第２のペイロードへと１だけインクリメントされている、という仮定に基づいて、前記ペイロード差分を決定すること
を含む、請求項１に記載の方法。
【請求項８】
前記第２の部分は、システムフレーム番号（ＳＦＮ）を含む、請求項７に記載の方法。
【請求項９】
各ペイロードは、第１の部分と第２の部分とを含み、
前記ペイロード差分を前記決定することは、前記第１および第２のペイロードの前記第１の部分は変化せず、かつ、前記第２の部分は、前記第１のペイロードと前記第２のペイロードとで、考えられる離散パターンの制限されたサブセットにしたがって異なる、という仮定に基づいて、前記ペイロード差分を決定することを含み、
前記第１および第２の判定メトリックを前記合成すること、および前記合成された判定メトリックを前記復号することは、前記第２のペイロードが正しく復号されるまで、または、すべての考えられるペイロード差分が前記考えられる離散パターンの前記制限されたサブセットについて評価されるまで、考えられるペイロード差分の各々について実行される
請求項１に記載の方法。
【請求項１０】
第３のペイロードを搬送する第３のフレームについて第３の判定メトリックを決定することと、
前記第３のペイロードと前記第２のペイロードとの間の第２のペイロード差分を決定することと、
第２の合成された判定メトリックを得るために、前記第２のペイロード差分に基づいて、前記第３の判定メトリックと前記合成された判定メトリックとを合成することと、
復号された第３のペイロードを得るために前記第２の合成された判定メトリックを復号することと
をさらに含む、請求項１に記載の方法。
【請求項１１】
復号された第１のペイロードを得るために前記第１の判定メトリックを復号することと、
前記第１のペイロードが誤って復号された場合に、前記第２の判定メトリックを前記決定すること、前記ペイロード差分を前記決定すること、前記第１および第２の判定メトリックを前記合成すること、ならびに前記合成された判定メトリックを前記復号すること、を実行することと
をさらに含む、請求項１に記載の方法。
【請求項１２】
前記第１および第２のフレームは、物理報知チャネル（ＰＢＣＨ）に関するものである、請求項１に記載の方法。
【請求項１３】
第１のペイロードを搬送する第１のフレームについて第１の判定メトリックを決定するための手段と、
第２のペイロードを搬送する第２のフレームについて第２の判定メトリックを決定するための手段と、
前記第２のペイロードと前記第１のペイロードとの間のペイロード差分を決定するための手段と、
合成された判定メトリックを得るために、前記ペイロード差分に基づいて、前記第１および第２の判定メトリックを合成するための手段と、
復号された第２のペイロードを得るために、前記合成された判定メトリックを復号するための手段と
を含む、ワイヤレス通信装置。
【請求項１４】
前記第１および第２の判定メトリックは、コードビットに関する対数尤度比（ＬＬＲ）を含む、請求項１３に記載の装置。
【請求項１５】
調整された第１の判定メトリックを得るために、前記ペイロード差分に基づいて、前記第１の判定メトリックを修正するための手段と、
前記合成された判定メトリックを得るために、前記調整された第１の判定メトリックと前記第２の判定メトリックとを合成するための手段と
を含む、請求項１３に記載の装置。
【請求項１６】
コードビットを得るために、前記第１のペイロードおよび前記第２のペイロードを符号化するために使用された線形コードに基づいて、少なくとも前記ペイロード差分を符号化するための手段
を含む、請求項１５に記載の装置。
【請求項１７】
各ペイロードは、第１の部分と第２の部分とを含み、前記ペイロード差分を前記決定することは、
前記第１および第２のペイロードの前記第１の部分は変化せず、かつ、前記第２の部分は前記第１のペイロードから前記第２のペイロードへと１だけインクリメントされている、という仮定に基づいて、前記ペイロード差分を決定するための手段
を含む、請求項１３に記載の装置。
【請求項１８】
各ペイロードは、第１の部分と第２の部分とを含み、
前記ペイロード差分を前記決定することは、前記第１および第２のペイロードの前記第１の部分は変化せず、かつ、前記第２の部分は、前記第１のペイロードと前記第２のペイロードとで、考えられる離散パターンの制限されたサブセットにしたがって異なる、という仮定に基づいて、前記ペイロード差分を決定することを含み、
前記第１および第２の判定メトリックを前記合成すること、および前記合成された判定メトリックを前記復号することは、前記第２のペイロードが正しく復号されるまで、または、すべての考えられるペイロード差分が前記考えられる離散パターンの前記制限されたサブセットについて評価されるまで、考えられるペイロード差分の各々について実行される
請求項１３に記載の装置。
【請求項１９】
第３のペイロードを搬送する第３のフレームについて第３の判定メトリックを決定するための手段と、
前記第３のペイロードと前記第２のペイロードとの間の第２のペイロード差分を決定するための手段と、
第２の合成された判定メトリックを得るために、前記第２のペイロード差分に基づいて、前記第３の判定メトリックと前記合成された判定メトリックとを合成するための手段と、
復号された第３のペイロードを得るために前記第２の合成された判定メトリックを復号するための手段と
をさらに含む、請求項１３に記載の装置。
【請求項２０】
少なくとも１つのプロセッサと、
前記少なくとも１つのプロセッサに結合されたメモリと
を含むワイヤレス通信装置であって、
前記少なくとも１つのプロセッサは、
第１のペイロードを搬送する第１のフレームについて第１の判定メトリックを決定し、
第２のペイロードを搬送する第２のフレームについて第２の判定メトリックを決定し、
前記第２のペイロードと前記第１のペイロードとの間のペイロード差分を決定し、
合成された判定メトリックを得るために、前記ペイロード差分に基づいて、前記第１および第２の判定メトリックを合成し、
復号された第２のペイロードを得るために、前記合成された判定メトリックを復号する
ように構成されている、ワイヤレス通信装置。
【請求項２１】
前記第１および第２の判定メトリックは、コードビットに関する対数尤度比（ＬＬＲ）を含む、請求項２０に記載の装置。
【請求項２２】
前記少なくとも１つのプロセッサは、
調整された第１の判定メトリックを得るために、前記ペイロード差分に基づいて、前記第１の判定メトリックを修正し、
前記合成された判定メトリックを得るために、前記調整された第１の判定メトリックと前記第２の判定メトリックとを合成する
ように構成されている、請求項２０に記載の装置。
【請求項２３】
前記少なくとも１つのプロセッサは、
コードビットを得るために、前記第１のペイロードおよび前記第２のペイロードを符号化するために使用された線形コードに基づいて、少なくとも前記ペイロード差分を符号化する
ように構成されている、請求項２２に記載の装置。
【請求項２４】
各ペイロードは、第１の部分と第２の部分とを含み、前記少なくとも１つのプロセッサは、
前記第１および第２のペイロードの前記第１の部分は変化せず、かつ、前記第２の部分は前記第１のペイロードから前記第２のペイロードへと１だけインクリメントされている、という仮定に基づいて、前記ペイロード差分を決定する
ように構成されている、請求項２０に記載の装置。
【請求項２５】
各ペイロードは、第１の部分と第２の部分とを含み、前記少なくとも１つのプロセッサは、
前記第１および第２のペイロードの前記第１の部分は変化せず、かつ、前記第２の部分は、前記第１のペイロードと前記第２のペイロードとで、考えられる離散パターンの制限されたサブセットにしたがって異なる、という仮定に基づいて、前記ペイロード差分を決定し、
前記第２のペイロードが正しく復号されるまで、または、すべての考えられるペイロード差分が前記考えられる離散パターンの前記制限されたサブセットについて評価されるまで、考えられるペイロード差分の各々について、前記第１および第２の判定メトリックを前記合成すること、および前記合成された判定メトリックを前記復号することを実行する
ように構成されている、請求項２０に記載の装置。
【請求項２６】
前記少なくとも１つのプロセッサは、
第３のペイロードを搬送する第３のフレームについて第３の判定メトリックを決定し、
前記第３のペイロードと前記第２のペイロードとの間の第２のペイロード差分を決定し、
第２の合成された判定メトリックを得るために、前記第２のペイロード差分に基づいて、前記第３の判定メトリックと前記合成された判定メトリックとを合成し、
復号された第３のペイロードを得るために前記第２の合成された判定メトリックを復号する
ように構成されている、請求項２０に記載の装置。
【請求項２７】
ワイヤレスネットワークにおけるワイヤレス通信のためのコンピュータプログラム製品であって、前記コンピュータプログラム製品は、
プログラムコードがそれに記録されたコンピュータ可読媒体を含み、前記プログラムコードは、
第１のペイロードを搬送する第１のフレームについて第１の判定メトリックを決定するためのプログラムコードと、
第２のペイロードを搬送する第２のフレームについて第２の判定メトリックを決定するためのプログラムコードと、
前記第２のペイロードと前記第１のペイロードとの間のペイロード差分を決定するためのプログラムコードと、
合成された判定メトリックを得るために、前記ペイロード差分に基づいて前記第１および第２の判定メトリックを合成するためのプログラムコードと、
復号された第２のペイロードを得るために、前記合成された判定メトリックを復号するためのプログラムコードと
を含む、コンピュータプログラム製品。
【請求項２８】
前記第１および第２の判定メトリックは、コードビットに関する対数尤度比（ＬＬＲ）を含む、請求項２７に記載のコンピュータプログラム製品。
【請求項２９】
前記プログラムコードは、
調整された第１の判定メトリックを得るために、前記ペイロード差分に基づいて前記第１の判定メトリックを修正するためのプログラムコードと、
前記合成された判定メトリックを得るために、前記調整された第１の判定メトリックと前記第２の判定メトリックとを合成するためのプログラムコードと
を含む、請求項２７に記載のコンピュータプログラム製品。
【請求項３０】
前記プログラムコードは、
コードビットを得るために、前記第１のペイロードおよび前記第２のペイロードを符号化するために使用された線形コードに基づいて、少なくとも前記ペイロード差分を符号化するためのプログラムコード
を含む、請求項２９に記載のコンピュータプログラム製品。
【請求項３１】
各ペイロードは、第１の部分と第２の部分とを含み、前記プログラムコードは、
前記第１および第２のペイロードの前記第１の部分は変化せず、かつ、前記第２の部分は前記第１のペイロードから前記第２のペイロードへと１だけインクリメントされている、という仮定に基づいて、前記ペイロード差分を決定するためのプログラム
を含む、請求項２７に記載のコンピュータプログラム製品。
【請求項３２】
各ペイロードは、第１の部分と第２の部分とを含み、前記プログラムコードは、
前記第１および第２のペイロードの前記第１の部分は変化せず、かつ、前記第２の部分は、前記第１のペイロードと前記第２のペイロードとで、考えられる離散パターンの制限されたサブセットにしたがって異なる、という仮定に基づいて、前記ペイロード差分を決定するためのプログラムコードと、
前記第２のペイロードが正しく復号されるまで、または、すべての考えられるペイロード差分が前記考えられる離散パターンの前記制限されたサブセットについて評価されるまで、考えられるペイロード差分の各々について、前記第１および第２の判定メトリックを前記合成すること、および前記合成された判定メトリックを前記復号することを実行するためのプログラムコードと
を含む、請求項２７に記載のコンピュータプログラム製品。
【請求項３３】
前記プログラムコードは、
第３のペイロードを搬送する第３のフレームについて第３の判定メトリックを決定するためのプログラムコードと、
前記第３のペイロードと前記第２のペイロードとの間の第２のペイロード差分を決定するためのプログラムコードと、
第２の合成された判定メトリックを得るために、前記第２のペイロード差分に基づいて、前記第３の判定メトリックと前記合成された判定メトリックとを合成するためのプログラムコードと、
復号された第３のペイロードを得るために前記第２の合成された判定メトリックを復号するためのプログラムコードと
を含む、請求項２７に記載のコンピュータプログラム製品。
【発明の詳細な説明】
【技術分野】
【０００１】
本願は、２００９年９月１４日に出願された「ペイロード差分に基づいた復号のための判定メトリックを合成するための方法および装置」と題する米国仮特許出願第６１／２４２，３０７号の利益を主張し、その開示の全内容が引用によりここに明示的に組み込まれる。
【０００２】
本開示の態様は、一般的にワイヤレス通信システムに関し、より具体的にはワイヤレス通信システムにおける復号技術に関する。
【背景技術】
【０００３】
ワイヤレス通信ネットワークは、音声、映像、パケットデータ、メッセージング、ブロードキャスト、等のようなさまざまな通信サービスを提供するために広く展開されている。これらのワイヤレスネットワークは、利用可能なネットワークリソースを共有することによって複数のユーザーをサポートすることが可能な多元接続ネットワークであることができる。そのようなネットワークは、通常、多元接続ネットワークであり、利用可能なネットワークリソースを共有することによって複数のユーザーのための通信をサポートする。そのようなネットワークの一例は、ユニバーサル地上無線アクセスネットワーク（ＵＴＲＡＮ：Universal Terrestrial Radio Access Network）である。ＵＴＲＡＮは、第３世代パートナーシッププロジェクト（３ＧＰＰ）によってサポートされた第３世代（３Ｇ）移動電話技術であるユニバーサル・モバイル・テレコミュニケーションズ・システム（ＵＭＴＳ：Universal Mobile Telecommunications System）の一部として定義された無線アクセスネットワーク（ＲＡＮ：radio access network）である。多元接続ネットワーク方式の例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
ワイヤレス通信ネットワークは、多数のユーザー機器（ＵＥ）のための通信をサポートできる多数の基地局または進化型ノードＢを含むことができる。ＵＥは、下りリンクおよび上りリンクを通じて基地局と通信することができる。下りリンク（または、フォワードリンク）は、基地局からＵＥへの通信リンクのことを言い、上りリンク（または、リバースリンク）は、ＵＥから基地局への通信リンクのことを言う。
【０００５】
基地局は、ＵＥに下りリンクでデータと制御情報を送信することができ、および／または、ＵＥから上りリンクでデータと制御情報を受信することができる。下りリンクでは、基地局からの送信は、近傍の基地局からの、または他のワイヤレス無線周波数（ＲＦ：radio frequency）送信機からの送信に起因した干渉をこうむることがある。上りリンクでは、ＵＥからの送信は、近傍の基地局と通信している他のＵＥの上りリンク送信からの、または他のワイヤレスＲＦ送信機からの干渉をこうむることがある。この干渉は、下りリンクと上りリンクの両方で性能を劣化させうる。
【０００６】
モバイルブロードバンドアクセスに関する要求が増え続けるにつれ、より多くのＵＥが長距離ワイヤレス通信ネットワークにアクセスし、より多くの短距離ワイヤレスシステムがコミュニティ内に展開されるのにともない、干渉や輻輳したネットワークの可能性が増す。モバイルブロードバンドアクセスに関する増大する要求を満たすためだけでなく、モバイル通信によるユーザー経験を進歩させ向上させるためにも、研究および開発が、ＵＭＴＳ技術を進歩させ続けている。
【発明の概要】
【０００７】
開示の一態様では、ワイヤレス通信方法は、第１のペイロードを搬送する第１のフレームについて第１の判定メトリックを決定することと、第２のペイロードを搬送する第２のフレームについて第２の判定メトリックを決定することと、前記第２のペイロードと前記第１のペイロードとの間のペイロード差分（payload difference）を決定することと、を含む。前記方法は、合成された判定メトリックを得るために、前記ペイロード差分に基づいて、前記第１および第２の判定メトリックを合成（combine）し、復号された第２のペイロードを得るために、前記合成された判定メトリックを復号する。
【０００８】
開示のさらなる態様では、ワイヤレス通信のための装置は、第１のペイロードを搬送する第１のフレームについて第１の判定メトリックを決定するための手段と、第２のペイロードを搬送する第２のフレームについて第２の判定メトリックを決定するための手段と、前記第２のペイロードと前記第１のペイロードとの間のペイロード差分を決定するための手段と、を含む。前記装置は、また、合成された判定メトリックを得るために、前記ペイロード差分に基づいて、前記第１および第２の判定メトリックを合成するための手段と、復号された第２のペイロードを得るために、前記合成された判定メトリックを復号するための手段と、を含む。
【０００９】
開示のさらなる態様では、コンピュータプログラム製品は、プログラムコードがそれに記録されたコンピュータ可読媒体を有する。このプログラムコードは、第１のペイロードを搬送する第１のフレームについて第１の判定メトリックを決定するためのコードと、第２のペイロードを搬送する第２のフレームについて第２の判定メトリックを決定するためのコードと、前記第２のペイロードと前記第１のペイロードとの間のペイロード差分を決定するためのコードと、を含む。前記プログラムコードは、また、合成された判定メトリックを得るために、前記ペイロード差分に基づいて前記第１および第２の判定メトリックを合成するためのコードと、復号された第２のペイロードを得るために、前記合成された判定メトリックを復号するためのコードと、を含む。
【図面の簡単な説明】
【００１０】
【図１】図１は、モバイル通信システムの一例を概念的に示すブロック図である。
【図２】図２は、モバイル通信システムにおける下りリンクのフレーム構造の一例を概念的に示すブロック図である。
【図３】図３は、上りリンクＬＴＥ／−Ａ通信における例示的なフレーム構造を概念的に示すブロック図である。
【図４】図４は、本開示の一態様によって構成された、基地局／ｅＮＢおよびＵＥの設計を概念的に示すブロック図である。
【図５】図５は、本開示の一態様によるＰＢＣＨに関する例示的なペイロードを概念的に示すブロック図である。
【図６】図６は、本開示の一態様によるＰＢＣＨ送信についてｅＮＢでの処理を概念的に示すブロック図である。
【図７】図７は、本開示の一態様による線形コードの特徴を概念的に示すブロック図である。
【図８】図８は、本開示の一態様による判定メトリックの合成を用いたＰＢＣＨ送信の復号を概念的に示すブロック図である。
【図９】図９は、本開示の一態様による通信システムにおいて復号を実行するための処理を概念的に示すブロック図である。
【詳細な説明】
【００１１】
添付の図面に関連して以下で述べる詳細な説明は、さまざまな構成を説明することを意図したものであり、ここで説明された概念が実施されうる唯一の構成を示すことを意図したものではない。詳細な説明は、さまざまな概念の完全な理解を提供する目的で、具体的な詳細を含む。しかしながら、これらの概念がこれらの具体的な詳細がなくても現実化されうることは、当業者にとって明らかである。たとえば、周知の構造およびコンポーネントは、そのような概念を不明瞭にすることを回避するためにブロック図の形態で示される。
【００１２】
ここで説明する技術は、ＣＤＭＡ、ＴＤＭＡ、ＦＤＭＡ、ＯＦＤＭＡ、ＳＣ−ＦＤＭＡ、および他のネットワークのようなさまざまなワイヤレス通信ネットワークのために使用されることができる。「ネットワーク」および「システム」という用語は、しばしば同義で用いられる。ＣＤＭＡネットワークは、ユニバーサル地上無線アクセス（ＵＴＲＡ：Universal Terrestrial Radio Access）、米国電気通信工業会（ＴＩＡ：Telecommunications Industry Association）のＣＤＭＡ２０００（登録商標）、等といった無線技術を実現することができる。ＵＴＲＡ技術は、広帯域ＣＤＭＡ（ＷＣＤＭＡ）およびＣＤＭＡの他のバリエーションを含む。ＣＤＭＡ２０００技術は、米国電子工業会（ＥＩＡ：Electronics Industry Alliance）およびＴＩＡによるＩＳ−２０００、ＩＳ−９５、およびＩＳ−８５６規格を含む。ＴＤＭＡネットワークは、移動体通信のためのグローバルシステム（ＧＳＭ（登録商標）：Global System for Mobile Communications）のような無線技術を実現することができる。ＯＦＤＭＡネットワークは、進化型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ（登録商標）、等のような無線技術を実現することができる。ＵＴＲＡおよびＥ−ＵＴＲＡ技術は、ユニバーサル・モバイル・テレコミュニケーション・システム（ＵＭＴＳ）の一部である。３ＧＰＰロングタームエボリューション（ＬＴＥ：Long Term Evolution）およびＬＴＥ−アドバンスト（ＬＴＥ−Ａ：LTE-Advanced）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる組織による文書で説明されている。ＣＤＭＡ２０００およびＵＭＢは、「第３世代パートナーシッププロジェクト２」（３ＧＰＰ２）と呼ばれる組織による文書で説明されている。ここで説明される技術は、上述したワイヤレスネットワークおよび無線接続技術、ならびに他のワイヤレスネットワークおよび無線接続技術のために使用されることができる。明瞭にするために、技術のある特定の態様が、ＬＴＥまたはＬＴＥ−Ａ（あるいは、まとめて「ＬＴＥ／−Ａ」とも呼ばれる）に関して以下で説明され、以下の説明の大半でそのようなＬＴＥ／−Ａの用語を用いる。
【００１３】
図１は、ＬＴＥ−Ａネットワークであることができるワイヤレス通信ネットワーク１００を示す。ワイヤレスネットワーク１００は、複数の進化型ノードＢ（ｅＮＢ）１１０および他のネットワークエンティティを含む。ｅＮＢは、ＵＥと通信する局であることができ、また、基地局、ノードＢ、アクセスポイント、等と呼ばれることもできる。各ｅＮＢ１１０は、特定の地理的エリアに通信カバレッジを提供することができる。３ＧＰＰでは、「セル」という用語は、この用語が用いられる状況に応じて、ｅＮＢの、この特定の地理的カバレッジエリア、および／またはカバレッジエリアにサービスするｅＮＢサブシステムを指すことができる。
【００１４】
ｅＮＢは、マクロセル、ピコセル、フェムトセル、および／または他のタイプのセルに通信カバレッジを提供することができる。マクロセルは、一般的に、比較的大きい地理的エリア（たとえば、半径数キロメートル）をカバーし、ネットワークプロバイダとサービスの契約をしているＵＥによる、制限のないアクセスを可能にすることができる。ピコセルは、一般的に、比較的により小さい地理的エリアをカバーし、ネットワークプロバイダとサービスの契約をしているＵＥによる、制限のないアクセスを可能にすることができる。フェムトセルも、また、一般的に、比較的小さい地理的エリア（たとえば、家）をカバーし、制限のないアクセスに加え、フェムトセルとのアソシエーションを有するＵＥ（たとえば、クローズド・サブスクライバ・グループ（ＣＳＧ：closed subscriber group）内のＵＥ、家の中にいるユーザーのためのＵＥ、等）による、制限されたアクセスを提供することもできる。マクロセルのためのｅＮＢは、マクロｅＮＢと呼ばれることができる。ピコセルのためのｅＮＢは、ピコｅＮＢと呼ばれることができる。そして、フェムトセルのためのｅＮＢは、フェムトｅＮＢまたはホームｅＮＢと呼ばれることができる。図１に示した例において、ｅＮＢ１１０ａ、１１０ｂ、および１１０ｃは、それぞれ、マクロセル１０２ａ、１０２ｂ、および１０２ｃのためのマクロｅＮＢである。ｅＮＢ１１０ｘは、ピコセル１０２ｘのためのピコｅＮＢである。そして、ｅＮＢ１１０ｙおよび１１０ｚは、それぞれ、フェムトセル１０２ｙおよび１０２ｚのためのフェムトｅＮＢである。１つのｅＮＢは、１つまたは複数（たとえば、２、３、４、等）のセルをサポートすることができる。
【００１５】
ワイヤレスネットワーク１００は、また、中継局を含む。中継局は、上流の局（たとえば、ｅＮＢ、ＵＥ、等）からのデータおよび／または他の情報の送信を受信し、下流の局（たとえば、別のＵＥ、別のｅＮＢ、等）にデータおよび／または他の情報の送信を送る局である。中継局は、また、他のＵＥのための送信を中継するＵＥであることもできる。図１に示す例では、中継局１１０ｒは、ｅＮＢ１１０ａおよびＵＥ１２０ｒと通信することができ、該中継局１１０ｒは、２つのネットワークエレメント（ｅＮＢ１１０ａおよびＵＥ１２０ｒ）間の通信を容易にするために、それらの間の中継器として動作する。中継局は、また、中継ｅＮＢ、中継器、等と呼ばれることもできる。
【００１６】
ワイヤレスネットワーク１００は、同期または非同期動作をサポートすることができる。同期動作では、ｅＮＢは、同様のフレームタイミングを有することができ、異なるｅＮＢからの送信は、時間的にほぼアライメントされないことができる。非同期動作では、ｅＮＢは、異なるフレームタイミングを有することができ、異なるｅＮＢからの送信は、時間的にアライメントされないことができる。ここで説明される技術は、同期または非同期動作のいずれかのために使用されることができる。
【００１７】
ネットワークコントローラ１３０は、ｅＮＢのセットに結合することができ、これらのｅＮＢのために調整および制御を提供することができる。ネットワークコントローラ１３０は、バックホール１３２を通じてｅＮＢ１１０と通信することができる。ｅＮＢ１１０は、また、たとえば、ワイヤレスバックホール１３４または有線のバックホール１３６を通じて直接的または間接的に、互いに通信することもできる。
【００１８】
ＵＥ１２０は、ワイヤレスネットワーク１００全体にわたって分散され、各ＵＥは、固定式または可動式であることができる。ＵＥは、また、端末、移動局、加入者ユニット、局、等と呼ばれることもできる。ＵＥは、携帯電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、等であることができる。ＵＥは、マクロｅＮＢ、ピコｅＮＢ、フェムトｅＮＢ、中継器、等と通信可能であることができる。図１では、両側矢印の実線は、ＵＥとサービングｅＮＢとの間の所望の伝送を示し、そのサービングｅＮＢは、下りリンクおよび／または上りリンクでそのＵＥにサービスするように指定されたｅＮＢである。両側矢印の破線は、ＵＥとｅＮＢとの間の干渉伝送を示す。
【００１９】
ＬＴＥ／−Ａは、下りリンクでは直交周波数分割多重（ＯＦＤＭ）を利用し、上りリンクではシングルキャリア周波数分割多重（ＳＣ−ＦＤＭ）を利用する。ＯＦＤＭおよびＳＣ−ＦＤＭは、システム帯域幅を複数（Ｋ個）の直交サブキャリアに分け、それらは、また、一般的にトーン、ビン、等と呼ばれる。各サブキャリアは、データによって変調されることができる。一般的に、変調シンボルは、ＯＦＤＭを用いて周波数領域で送られ、ＳＣ−ＦＤＭを用いて時間領域で送られる。隣り合うサブキャリア間の間隔は、一定であることができ、サブキャリアの総数（Ｋ）は、システム帯域幅に左右されることができる。たとえば、Ｋは、１．２５、２．５、５、１０、または２０メガヘルツ（ＭＨｚ）の対応するシステム帯域幅について、それぞれ、１２８、２５６、５１２、１０２４、または２０４８に等しいものであることができる。システム帯域幅は、また、サブバンドに分けられることもできる。たとえば、１つのサブバンドは、１．０８ＭＨｚをカバーすることができ、１．２５、２．５、５、１０、または２０ＭＨｚの対応するシステム帯域幅について、それぞれ１、２、４、８、または１６個のサブバンドがあることができる。
【００２０】
図２は、ＬＴＥ／−Ａで使用される下りリンクのフレーム構造を示す。下りリンクについての伝送タイムラインは、無線フレームの複数の単位へと分けられることができる。各無線フレームは、所定の持続時間（たとえば、１０ミリ秒（ｍｓ））を有することができ、０〜９のインデックスを有する１０個のサブフレームに分けられることができる。各サブフレームは、２つのスロットを含むことができる。したがって、各無線フレームは、０〜１９のインデックスを有する２０個のスロットを含むことができる。各スロットは、Ｌ個のシンボル期間、たとえば、（図２に示したように）ノーマルなサイクリック・プレフィックスの場合は７個のシンボル期間、または拡張されたサイクリック・プレフィックスの場合は１４個のシンボル期間を含むことができる。各サブフレーム中の２Ｌ個のシンボル期間は、０〜２Ｌ−１のインデックスを割り当てられることができる。利用可能な時間周波数リソースは、リソースブロックに分けられることができる。各リソースブロックは、１つのスロットにおいて、Ｎ個のサブキャリア（たとえば、１２個のサブキャリア）をカバーすることができる。
【００２１】
ＬＴＥ／−Ａでは、ｅＮＢは、そのｅＮＢ内の各セルについて、プライマリ同期信号（ＰＳＳ：primary synchronization signal）およびセカンダリ同期信号（ＳＳＳ：secondary synchronization signal）を送ることができる。プライマリおよびセカンダリ同期信号は、図２に示したように、ノーマルなサイクリック・プレフィックスの場合の各無線フレームのサブフレーム０および５の各々において、それぞれ、シンボル期間６および５で送られることができる。同期信号は、セルの検出および捕捉のために、ＵＥによって使用されることができる。ｅＮＢは、サブフレーム０のスロット１のシンボル期間０〜３において、物理報知チャネル（ＰＢＣＨ：Physical Broadcast Channel）を送ることができる。ＰＢＣＨは、以下でさらに詳細に説明するように、ある特定のシステム情報を搬送することができる。
【００２２】
ｅＮＢは、図２に示すように、各サブフレームの第１のシンボル期間で、物理制御チャネル構成指示チャネル（ＰＣＦＩＣＨ：Physical Control Format Indicator Channel）を送ることができる。ＰＣＦＩＣＨは、制御チャネルのために使用されるシンボル期間の数（Ｍ）を伝えることができ、ここでＭは、１、２、または３に等しいものであることができ、サブフレームごとに変化することができる。Ｍは、また、たとえば、１０個未満のリソースブロックを有する小さなシステム帯域幅では、４に等しいものであることもできる。図２に示す例では、Ｍ＝３である。ｅＮＢは、各サブフレームの最初のＭ個のシンボル期間において、物理ＨＡＲＱ指示チャネル（ＰＨＩＣＨ：Physical HARQ Indicator Channel）および物理下りリンク制御チャネル（ＰＤＣＣＨ：Physical Downlink Control Channel）を送ることができる。ＰＤＣＣＨおよびＰＨＩＣＨは、また、図２に示す例では、最初の３つのシンボル期間に含まれることができる。ＰＨＩＣＨは、ハイブリッド自動再送（ＨＡＲＱ：hybrid automatic retransmission）をサポートするための情報を搬送することができる。ＰＤＣＣＨは、ＵＥについてのリソース割り当てに関する情報、および下りリンクチャネルに関する制御情報を搬送することができる。ｅＮＢは、各サブフレームの残りのシンボル期間で、物理下りリンク共有チャネル（ＰＤＳＣＨ：Physical Downlink Shared Channel）を送ることができる。ＰＤＳＣＨは、下りリンクでのデータ送信についてスケジューリングされたＵＥのためのデータを搬送することができる。
【００２３】
各サブフレームの制御セクション、すなわち、各サブフレームの第１のシンボル期間においてＰＨＩＣＨおよびＰＤＣＣＨを送ることに加え、ＬＴＥ−Ａは、また、各サブフレームのデータ部分でも、これらの制御用チャネルを送信することができる。図２に示すように、データ領域を利用するこれらの新しい制御設計、たとえば、中継−物理下りリンク制御チャネル（Ｒ−ＰＤＣＣＨ：Relay-Physical Downlink Control Channel）、および中継−物理ＨＡＲＱ指示チャネル（Ｒ−ＰＨＩＣＨ：Relay-Physical HARQ Indicator Channel）は、各サブフレームの、より後のシンボル期間に含まれる。Ｒ−ＰＤＣＣＨは、元来、半二重中継動作（half-duplex relay operation）を背景にして開発された、データ領域を利用する新しいタイプの制御チャネルである。１つのサブフレーム中の最初のいくつかの制御シンボルを占有するレガシーＰＤＣＣＨおよびＰＨＩＣＨとは異なり、Ｒ−ＰＤＣＣＨおよびＲ−ＰＨＩＣＨは、元来データ領域に指定されたリソースエレメント（ＲＥ）にマッピングされる。新しい制御チャネルは、周波数分割多重（ＦＤＭ）、時分割多重（ＴＤＭ）、またはＦＤＭとＴＤＭの組み合わせの形態であることができる。
【００２４】
ｅＮＢは、そのｅＮＢによって使用されるシステム帯域幅の中心の１．０８ＭＨｚでＰＳＳ、ＳＳＳ、およびＰＢＣＨを送ることができる。ｅＮＢは、ＰＣＦＩＣＨおよびＰＨＩＣＨが送られる各シンボル期間において、システム帯域幅全体にわたり、これらのチャネルを送ることができる。ｅＮＢは、システム帯域幅のある特定の部分で、ＵＥのグループにＰＤＣＣＨを送ることができる。ｅＮＢは、システム帯域幅の特定の部分で、特定のＵＥにＰＤＳＣＨを送ることができる。ｅＮＢは、すべてのＵＥにブロードキャストでＰＳＳ、ＳＳＳ、ＰＢＣＨ、ＰＣＦＩＣＨ、およびＰＨＩＣＨを送ることができ、特定のＵＥにユニキャストでＰＤＣＣＨを送ることができ、また、特定のＵＥにユニキャストでＰＤＳＣＨを送ることもできる。
【００２５】
複数のリソースエレメントが、各シンボル期間において利用可能でありうる。各リソースエレメントは、１つのシンボル期間において１つのサブキャリアをカバーすることができ、実数値または複素数値でありうる１つの変調シンボルを送るために使用されることができる。各シンボル期間において基準信号のために使用されないリソースエレメントは、リソースエレメントグループ（ＲＥＧ）へとアレンジされることができる。各ＲＥＧは、１つのシンボル期間に４つのリソースエレメントを含むことができる。ＰＣＦＩＣＨは、シンボル期間０において、周波数にわたりほぼ均等に間隔を空けられることができる４つのＲＥＧを占有することができる。ＰＨＩＣＨは、１つ以上の設定可能なシンボル期間において、周波数にわたり拡散されることができる３つのＲＥＧを占有することができる。たとえば、ＰＨＩＣＨのための３つのＲＥＧは、すべてがシンボル期間０に属することも、または、シンボル期間０、１、および２に拡散されることもできる。ＰＤＣＣＨは、最初のＭ個のシンボル期間において、利用可能なＲＥＧから選択されうる９、１８、３２、または６４個のＲＥＧを占有することができる。ある特定のＲＥＧの組み合わせのみが、ＰＤＣＣＨについて許されることができる。
【００２６】
ＵＥは、ＰＨＩＣＨおよびＰＣＦＩＣＨのために使用される特定のＲＥＧを知っていることがある。ＵＥは、ＰＤＣＣＨについてＲＥＧの異なる組み合わせをサーチすることができる。サーチすべき組み合わせの数は、通常、ＰＤＣＣＨについて許された組み合わせの数よりも少ない。ｅＮＢは、ＵＥがサーチする組み合わせのいずれかで、ＵＥにＰＤＣＣＨを送ることができる。
【００２７】
ＵＥは、複数のｅＮＢのカバレッジ内に存在しうる。これらのｅＮＢのうちの１つが、ＵＥにサービスするために選択されることができる。サービングｅＮＢは、受信電力、パスロス、信号対雑音比（ＳＮＲ：signal-to-noise ratio）、等といったさまざまな基準に基づいて選択されることができる。
【００２８】
図３は、上りリンクのロングタームエボリューション（ＬＴＥ／−Ａ）通信における例示的なフレーム構造を概念的に示すブロック図３００である。上りリンクのための利用可能なリソースブロック（ＲＢ）は、データセクションと制御セクションとに分けられることができる。制御セクションは、システム帯域幅の両端に形成されることができ、設定可能なサイズを有することができる。制御セクション内のリソースブロックは、制御情報の送信のためにＵＥに割り当てられることができる。データセクションは、制御セクションに含まれないすべてのリソースブロックを含むことができる。図３の設計は、連続したサブキャリアを含むデータセクションという結果をもたらし、それは、１つのＵＥに、データセクション内の連続したサブキャリアのすべてが割り当てられることを可能にすることができる。
【００２９】
ＵＥは、ｅＮＢに制御情報を送信するために、制御セクションにおいてリソースブロックを割り当てられることができる。ＵＥは、また、ｅノードＢにデータを送信するために、データセクションにおいてリソースブロックを割り当てられることができる。ＵＥは、制御セクションにおいて、割り当てられたリソースブロックについて、物理上りリンク制御チャネル（ＰＵＣＣＨ：Physical Uplink Control Channel）で、制御情報を送信することができる。ＵＥは、データセクションにおいて、割り当てられたリソースブロックについて、物理上りリンク共有チャネル（ＰＵＳＣＨ：Physical Uplink Shared Channel）で、データのみ、またはデータと制御情報の両方を送信することができる。上りリンク送信は、図３に示すように、サブフレームの両方のスロットにまたがることができ、周波数をまたいでホップすることができる。
【００３０】
ＬＴＥ／−Ａで使用されるＰＳＳ、ＳＳＳ、ＣＲＳ、ＰＢＣＨ、ＰＵＣＣＨ、ＰＵＳＣＨ、および他のそのような信号およびチャネルは、公的に入手可能な「進化型ユニバーサル地上無線アクセス（Ｅ−ＵＴＲＡ）；物理チャネルおよび変調（Evolved Universal Terrestrial Radio Access (E-UTRA); Physical Channels and Modulation）」と題する３ＧＰＰ ＴＳ ３６．２１１で説明されている。
【００３１】
図１を再び参照すると、ワイヤレスネットワーク１００は、単位エリアごとにシステムのスペクトル効率を改善するために、ｅＮＢ１１０の種々のセット（すなわち、マクロｅＮＢ、ピコｅＮＢ、フェムトｅＮＢ、および中継器）を使用する。ワイヤレスネットワーク１００は、そのスペクトルのカバレッジのためにそのような異なるｅＮＢを使用するので、それは、異種ネットワークとも呼ばれうる。マクロｅＮＢ１１０ａ−ｃは、通常、ワイヤレスネットワーク１００のプロバイダによって慎重に計画され、設置される。マクロｅＮＢ１１０ａ−ｃは、一般的に、高い電力レベル（たとえば、５Ｗ−４０Ｗ）で送信する。かなり低い電力レベル（たとえば、１００ｍＷ−２Ｗ）で一般的に送信する、ピコｅＮＢ１１０ｘおよび中継器１１０ｒは、マクロｅＮＢ１１０ａ−ｃによって提供されるカバレッジエリア内のカバレッジホールを無くし、ホットスポットにおけるキャパシティを改善するために、比較的に計画性を持たずに配備されうる。フェムトｅＮＢ１１０ｙ−ｚは、通常はワイヤレスネットワーク１００とは関係なく配備されるが、それでも、それらの（１つ以上の）アドミニストレータによって権限を付与されているのであれば、ワイヤレスネットワーク１００への可能性のあるアクセスポイントとして、または、少なくとも、ワイヤレスネットワーク１００の他のｅＮＢ１１０と通信できるアクティブでアウェアなｅＮＢとして、のいずれかで、ワイヤレスネットワーク１００のカバレッジエリアに組み込まれて、リソースの調整および干渉管理の調整を行なうことができる。フェムトｅＮＢ１１０ｙ−ｚは、通常、また、マクロｅＮＢ１１０ａ−ｃよりも大幅に低い電力レベル（たとえば、１００ｍＷ−２Ｗ）で送信する。
【００３２】
ワイヤレスネットワーク１００のような異種ネットワークの動作では、各ＵＥは、通常、より良好な信号品質を有するｅＮＢ１１０によってサービスされるが、その一方で、他のｅＮＢ１１０から受信された望ましくない信号は干渉として扱われる。そのような動作原理はきわめて準最適な性能を結果としてもたらし得るが、ｅＮＢ１１０間のインテリジェントなリソース調整、より良好なサーバー選択の戦略、および効率的な干渉管理のためのより進歩した技術を使用することにより、ネットワーク性能の向上がワイヤレスネットワーク１００において実現される。
【００３３】
ピコｅＮＢ１１０ｘのようなピコｅＮＢは、マクロｅＮＢ１１０ａ−ｃのようなマクロｅＮＢと比較したときに、かなり低い送信電力によって特徴づけられる。ピコｅＮＢはまた、通常、アドホックで、ワイヤレスネットワーク１００のようなネットワーク内の各所に配置される。この計画性を持たない配備ゆえに、ワイヤレスネットワーク１００のような、ピコｅＮＢが設置されたワイヤレスネットワークは、低い信号対干渉条件を備えた大きなエリアを有することが予想され、それが、カバレッジエリアまたはセルの端にあるＵＥ（「セル端」ＵＥ）への制御チャネル送信のための、よりチャレンジングなＲＦ環境に寄与し得る。さらに、マクロｅＮＢ１１０ａ−ｃとピコｅＮＢ１１０ｘの送信電力レベル間で起こりうる大きな相違（たとえば、およそ２０ｄＢ）は、混成の配備では、ピコｅＮＢ１１０ｘの下りリンクのカバレッジエリアがマクロｅＮＢ１１０ａ−ｃのそれよりもはるかに小さくなることを意味する。
【００３４】
しかしながら、上りリンクのケースでは、上りリンク信号の信号強度は、ＵＥによって決まるので、どのタイプのｅＮＢ１１０によって受信される場合でも、同様になる。ｅＮＢ１１０に関する上りリンクのカバレッジエリアがほぼ同一または同様であれば、上りリンクのハンドオフの境界は、チャネルの利得に基づいて決定される。これは、下りリンクのハンドオーバーの境界と上りリンクのハンドオーバーの境界との間の不一致をまねきうる。さらなるネットワーク適応がなければ、この不一致は、下りリンクと上りリンクのハンドオーバーの境界がより厳密に一致するマクロｅＮＢのみの同種ネットワークよりも、ワイヤレスネットワーク１００で、サーバーの選択またはｅＮＢへのＵＥのアソシエーションをより困難にする。
【００３５】
ＬＴＥリリース８基準で与えられているように、サーバーの選択が主として下りリンクの受信信号強度に基づく場合、ワイヤレスネットワーク１００のような混成ｅＮＢ配備の異種ネットワークの有用性は、大きく減じられることになる。これは、ピコｅＮＢ１１０ｘが、そのはるかに弱い下りリンクの送信電力ゆえにいずれのＵＥにもサービスできないことがある一方で、マクロｅＮＢ１１０ａ−ｃのより高い下りリンク受信信号強度が、利用可能なＵＥのすべてを引きつけるので、マクロｅＮＢ１１０ａ−ｃのような、より高い電力のマクロｅＮＢの、より大きなカバレッジエリアが、ピコｅＮＢ１１０ｘのようなピコｅＮＢにセルのカバレッジを分ける利点を制限するからである。さらに、マクロｅＮＢ１１０ａ−ｃは、それらのＵＥに効率的にサービスするのに十分なリソースをもたない可能性がある。したがって、ワイヤレスネットワーク１００は、ピコｅＮＢ１１０ｘのカバレッジエリアを拡張することにより、マクロｅＮＢ１１０ａ−ｃとピコｅＮＢ１１０ｘとの間で負荷を能動的に均衡させることを試みることになる。この概念は、範囲拡張と呼ばれる。
【００３６】
ワイヤレスネットワーク１００は、サーバーの選択が決定される手法を変えることによって、この範囲拡張を達成する。サーバーの選択を下りリンクの受信信号強度に基づかせる代わりに、選択は、より下りリンク信号の品質に基づく。そのような、品質に基づいた１つの決定では、サーバーの選択は、ＵＥに最小のパスロスを提供するｅＮＢを決定することに基づくことができる。さらに、ワイヤレスネットワーク１００は、マクロｅＮＢ１１０ａ−ｃとピコｅＮＢ１１０ｘとの間で均等な、リソースの一定の分割を提供する。しかしながら、たとえ、この能動的な負荷の均衡化を用いる場合であっても、マクロｅＮＢ１１０ａ−ｃからの下りリンクの干渉は、ピコｅＮＢ１１０ｘのようなピコｅＮＢによってサービスされるＵＥについて、緩和されるべきである。これは、ＵＥでの干渉除去、ｅＮＢ１１０間でのリソースの調整、等を含む、さまざまな方法によって達成されることができる。しかしながら、干渉除去が望ましくない、いくつかのケースがある。
【００３７】
図４は、図１の基地局／ｅＮＢのうちの１つ、およびＵＥのうちの１つであることができる、基地局／ｅＮＢ１１０およびＵＥ１２０の設計のブロック図を示す。限られたアソシエーションのシナリオでは、基地局１１０は、図１のマクロｅＮＢ１１０ｃであることができ、ＵＥ１２０は、ＵＥ１２０ｙであることができる。基地局１１０は、また、他の何らかのタイプの基地局であることもできる。基地局１１０は、アンテナ４３４ａ〜４３４ｔを備えることができ、ＵＥ１２０は、アンテナ４５２ａ〜４５２ｒを備えることができる。
【００３８】
基地局１１０で、送信プロセッサ４２０は、データソース４１２からデータを、コントローラ／プロセッサ４４０から制御情報を、受け取ることができる。制御情報は、ＰＢＣＨ、ＰＣＦＩＣＨ、ＰＨＩＣＨ、ＰＤＣＣＨ、等に関するものであることができる。データは、ＰＤＳＣＨ、等に関するものであることができる。プロセッサ４２０は、データシンボルおよび制御シンボルを得るために、それぞれ、データおよび制御情報を処理（たとえば、符号化およびシンボルマッピング）することができる。プロセッサ４２０は、また、たとえば、ＰＳＳ、ＳＳＳのための基準シンボル、およびセル固有の基準信号を発生させることもできる。送信（ＴＸ）多入力多出力（ＭＩＭＯ）プロセッサ４３０は、該当する場合には、データシンボル、制御シンボル、および／または基準シンボルの空間処理（たとえば、プリコーディング）を実行することができ、変調器（ＭＯＤ）４３２ａ〜４３２ｔに出力シンボルストリームを供給することができる。各変調器４３２は、出力サンプルストリームを得るために、（たとえば、ＯＦＤＭ、等に関して）それぞれの出力シンボルストリームを処理することができる。各変調器４３２は、下りリンク信号を得るために、出力サンプルストリームをさらに処理（たとえば、アナログ変換、増幅、フィルタリング、およびアップコンバート）することができる。変調器４３２ａ〜４３２ｔからの下りリンク信号は、それぞれ、アンテナ４３４ａ〜４３４ｔを介して送信されることができる。
【００３９】
ＵＥ１２０において、アンテナ４５２ａ〜４５２ｒは、基地局１１０から下りリンク信号を受信することができ、それぞれ、復調器（ＤＥＭＯＤ）４５４ａ〜４５４ｒに、受信された信号を供給することができる。各復調器４５４は、入力サンプルを得るために、それぞれの受信信号を調整（たとえば、フィルタリング、増幅、ダウンコンバート、およびデジタル化）することができる。各復調器４５４は、受信シンボルを得るために、（たとえば、ＯＦＤＭ、等に関して）入力サンプルをさらに処理することができる。ＭＩＭＯ検出器４５６は、すべての復調器４５４ａ〜４５４ｒから受信シンボルを得ることができ、該当する場合には受信シンボルのＭＩＭＯ検出を実行することができ、検出されたシンボルを供給することができる。受信プロセッサ４５８は、検出されたシンボルを処理（たとえば、復調、デインターリーブ、および復号）することができ、データシンク４６０に、ＵＥ１２０のための復号されたデータを供給することができ、コントローラ／プロセッサ４８０に、復号された制御情報を供給することができる。
【００４０】
上りリンクでは、ＵＥ１２０において、送信プロセッサ４６４は、データソース４６２から、（たとえば、ＰＵＳＣＨのための）データを、コントローラ／プロセッサ４８０から、（たとえば、ＰＵＣＣＨのための）制御情報を、受け取り、処理することができる。プロセッサ４６４は、また、基準信号について基準シンボルを生成することもできる。送信プロセッサ４６４からのシンボルは、該当する場合にはＴＸ ＭＩＭＯプロセッサ４６６によってプリコーディングされることができ、（たとえば、ＳＣ−ＦＤＭ、等に関して）復調器４５４ａ〜４５４ｒによってさらに処理されることができ、基地局１１０に送信されることができる。基地局１１０で、ＵＥ１２０からの上りリンク信号は、アンテナ４３４によって受信されることができ、変調器４３２によって処理されることができ、該当する場合にはＭＩＭＯ検出器４３６によって検出されることができ、ＵＥ１２０によって送られた復号されたデータおよび制御情報を得るために受信プロセッサ４３８によってさらに処理されることができる。プロセッサ４３８は、復号されたデータをデータシンク４３９に、復号された制御情報をコントローラ／プロセッサ４４０に、供給することができる。
【００４１】
コントローラ／プロセッサ４４０および４８０は、それぞれ、基地局１１０およびＵＥ１２０での動作を指示することができる。基地局１１０のプロセッサ４４０および／または他のプロセッサおよびモジュールは、ここで説明された技術のためのさまざまな処理の実行を、遂行または指示することができる。ＵＥ１２０のプロセッサ４８０および／または他のプロセッサおよびモジュールも、また、図４および図５で示した機能ブロック、および／またはここで説明された技術のための他の処理の実行を、遂行または指示することができる。メモリ４４２および４８２は、それぞれ、基地局１１０およびＵＥ１２０のためのデータおよびプログラムコードを記憶することができる。スケジューラ４４４は、下りリンクおよび／または上りリンクでのデータ伝送についてＵＥをスケジューリングすることができる。
【００４２】
ここで説明される技術は、たとえば、干渉除去が用いられず、低い信号対雑音比（ＳＮＲ）が存在する場合に、下りリンクおよび上りリンクで送られたさまざまなタイプの伝送を復号するために使用されることができる。任意の既知のペイロード、または予測可能な変化（たとえば、決定論的変化）を有するペイロードが、この開示に従って処理されることができるが、明瞭にするために、下記の説明のほとんどは、ＬＴＥの物理報知チャネル（ＰＢＣＨ）に関するものである。
【００４３】
図５は、各ＰＢＣＨ送信に関する例示的なペイロードを示す。ＰＢＣＨのペイロードは、６ビットのマスター情報ブロック（ＭＩＢ：Master Information Block）、８ビットのシステムフレーム番号（ＳＦＮ：System Frame Number）、および１０予約ビットを含む。ｅＮＢは、各１０ｍｓの無線フレームにおいて、１０ビットＳＦＮを１ずつインクリメントすることができる。ｅＮＢは、周期的に、たとえば４無線フレームごとに、ＰＢＣＨを送信し、１０ビットＳＦＮのうちの最上位の８ビットを、８ビットＳＦＮとして使用することができる。８ビットＳＦＮは、ＰＢＣＨ送信ごとに、１ずつインクリメントされる。ＭＩＢは、半静的で変化頻度の低い情報を含む。したがって、冗長な情報が、頻繁に再送される。予約ビットは、固定値（たとえば、すべてゼロ）に設定される。あるいは、１以上の予約ビットが、半静的または動的でありうる情報を伝えるために使用されることができる。
【００４４】
一般的に、ＰＢＣＨのペイロードは、任意の数のフィールドを含むことができ、各フィールドは、任意のタイプの情報を搬送することができ、任意のサイズのものであることができる。各フィールドの情報は、半静的または動的であることができる。所与のフィールドの情報はまた、決定論的に、たとえば８ビットＳＦＮのケースでは１ずつインクリメントされて、変化することができる。
【００４５】
図６は、ＰＢＣＨ送信に関するｅＮＢでの処理を示す。一般的に、ＰＢＣＨのペイロードは、誤り検出符号（たとえば、ＣＲＣ）と、誤り訂正符号（たとえば、テイルバイティング畳み込み符号（ＴＢＣＣ：tail biting convolutional code））と、の任意の組み合わせを用いて処理されることができる。例示的な実施形態において、ＰＢＣＨのペイロードには、データブロックを得るために、巡回冗長検査（ＣＲＣ：cyclic redundancy check）が付加される。ＣＲＣは、ＰＢＣＨペイロード全体にわたって生成されることができ、ＬＴＥでは１６ビットであることができる。データブロックは、２４ビットのペイロードと１６ビットのＣＲＣであるので、４０データビットを含む。データブロックは、１２０コードビットのコードワードを得るために、レート１／３のテイルバイティング畳み込み符号（ＴＢＣＣ）を用いて符号化されることができる。１２０コードビットは、ＱＰＳＫ変調シンボルにマッピングされることができ、それは、さらに、処理され、ＵＥにＰＢＣＨ送信で送信される。
【００４６】
ＵＥは、ｅＮＢからＰＢＣＨ送信を受信し、受信されたＰＢＣＨ送信の復号を試みる。ＵＥは、ＵＥによって観察されたチャネル状況がさほど悪くない場合、受信されたＰＢＣＨ送信を正しく復号可能である。ある特定のシナリオでは、ＵＥは、受信されたＰＢＣＨ送信を正しく復号できず、ＣＲＣ検査は失敗する。すると、ＵＥは、ｅＮＢから次のＰＢＣＨ送信を受信し、再度、この受信されたＰＢＣＨ送信の復号を試みることができる。ＵＥは、また、たとえば高い干渉が原因で、チャネル状況が悪い場合、この受信されたＰＢＣＨ送信も正しく復号できない場合がある。
【００４７】
一態様では、ＵＥは、受信されたＰＢＣＨ送信が誤って復号された場合には常に、複数の受信されたＰＢＣＨ送信について判定メトリックを合成する。ＵＥは、下記に説明されるように、ＰＢＣＨペイロード間の差分に基づいて判定メトリックを合成することができる。そして、ＵＥは、各ＰＢＣＨ送信について判定メトリックの代わりに、合成された判定メトリックを復号することができる。合成された判定メトリックは、より多くのエネルギーを有し、また、時間ダイバーシチを提供することができる。その結果、ＵＥは、悪いチャネル状況であっても、合成された判定メトリックを正しく復号可能であることができる。
【００４８】
図７は、ＣＲＣまたはＴＢＣＣのような線形コードの特徴を示す。第１のペイロードＰ１は、第１のコードワードＣ１を得るために、線形コードを用いて符号化される。第２のペイロードＰ２も、また、第２のコードワードＣ２を得るために、同一の線形コードを用いて符号化される。第２のペイロードと第１のペイロードとの間の差分が計算され、ΔＰ＝Ｐ２−Ｐ１で表される。ペイロード差分は、第３のコードワードΔＣ＝Ｃ２−Ｃ１を得るために、同一の線形コードを用いて符号化される。第３のコードワードは、第２のコードワードＣ２と第１のコードワードＣ１との間の差分である。
【００４９】
図７に示すように、２つのペイロードは、２つのコードワードを得るために線形コードを用いて別々に符号化されることができる。線形コードの場合、２つのコードワードの合計または差分は、同一の線形コードを用いて２つのペイロードの合計または差分を符号化することによって得られるコードワードと等しい。線形コードのこの特徴は、下記に説明されるように、異なるＰＢＣＨ送信についての判定メトリックを合成するために利用されることができる。
【００５０】
図８は、復号の性能を改善するために、判定メトリック合成を用いてＰＢＣＨ送信を復号する例示的な設計を示す。ＵＥは、フレームｔにおいて、ペイロードＰ１（たとえば、ＭＩＢ）を含んだＰＢＣＨ送信を受信する（ブロック８１２）。ＵＥは、受信されたＰＢＣＨ送信に基づいて、ペイロードＰ１に関するコードビットについて対数尤度比（ＬＬＲ：log-likelihood ratio）を計算する（ブロック８１４）。ＬＬＲは、一般的に、復号のための軟判定メトリックとして使用される。他のタイプの判定メトリックも、また、復号のために使用されることができる。ＵＥは、ペイロードＰ１に関する１２０コードビットについて１２０個のＬＬＲ、すなわち、各コードビットにつき１つのＬＬＲを得ることができ、次いで、それらのＬＬＲを記憶することができる。ペイロードＰ１に関するＬＬＲは、ＬＬＲ１と表される。ＵＥは、復号されたペイロードＰ１を得るためにＬＬＲを復号する（ブロック８１８）。ＵＥは、ペイロードＰ１が正しく復号されたか否かを決定するためにＣＲＣ検査を実行することができる。答えがイエスの場合には、ＵＥは、ＰＢＣＨの復号を終了する。フレームｔにおけるＰＢＣＨ送信が誤って復号された場合、ＵＥは、下記に説明されるように、次の（１つ以上の）ＰＢＣＨ送信の復号を改善するためにＬＬＲ１を記憶することができる。
【００５１】
ＵＥは、フレームｔ＋１において、ペイロードＰ２（たとえば、ＭＩＢ）を含んだＰＢＣＨ送信を受信する（ブロック８３２）。ＵＥは、受信されたＰＢＣＨ送信に基づいてペイロードＰ２のためのコードビットについてＬＬＲを計算することができる（ブロック８３４）。ペイロードＰ２に関するＬＬＲは、ＬＬＲ２と表される。ＵＥは、ΔＰ２と表され得る、ペイロードＰ２とペイロードＰ１との間の、２値の差分（binary difference）（すなわち、ＸＯＲ）を決定する（ブロック８２２）。ＵＥは、ペイロード差分のために１２０コードビットを有するコードワードを得るために、ＰＢＣＨペイロードに関してｅＮＢにより実行されたのと同じ方式で、ペイロード差分ΔＰ２を符号化する（ブロック８２４）。たとえば、ＵＥは、ペイロード差分に関してＣＲＣを生成し、ＴＢＣＣを用いてペイロード差分およびＣＲＣを符号化して、コードワードを得ることができる。このコードワードは、ΔＣ２と表される。値ΔＣ２は、フレームｔ＋１についてｅＮＢによって生成されたコードワードＣ１と、フレームｔについてｅＮＢによって生成されたコードワードＣ０と、の間の差分である。
【００５２】
次いで、ＵＥは、ペイロード２とペイロード１との間のペイロード差分を考慮することによって、ペイロードＰ２に関する計算されたＬＬＲと、ペイロードＰ１に関する計算されたＬＬＲと、を合成する。ＵＥは、コードワードΔＣ２について１２０コードビットを得ることができ、各コードビットは、「０」または「１」のいずれかの２進値を有する。ＵＥは、ペイロードＰ１に関する計算された各々のＬＬＲの符号（sign）／極性を、コードワードΔＣ２における対応するコードビットに基づいて、（乗算器８２６により）調整する。ＵＥは、下記のように、ペイロードＰ１に関する計算された各々のＬＬＲについて符号（sign）の調整を実行することができる：
コードワードΔＣ２におけるコードビットｋが「１」の値を有する場合、ペイロードＰ１に関するコードビットｋについて計算されたＬＬＲの符号（sign）を反転する、あるいは、
コードワードΔＣ２におけるコードビットｋが「０」の値を有する場合、ペイロードＰ１に関するコードビットｋについて計算されたＬＬＲの符号（sign）を維持する。
【００５３】
ＵＥは、ペイロードＰ１に関する全１２０コードビット（すなわち、１≦ｋ≦１２０）について計算されたＬＬＲを同様に調整する。コードワードΔＣ２における「１」の値を有する各コードビットｋは、ペイロードＰ１に関するコードビットｋがペイロードＰ２に関するコードビットｋとは異なっていることを示すことができる。したがって、ペイロードＰ１に関するコードビットｋについて計算されたＬＬＲは、反転されることができる。
【００５４】
ＬＬＲの調整は、また、コードワード差分に基づいたＬＬＲのスクランブリングと見なされることもできる。ＬＬＲの調整は、ペイロードＰ１に関する計算されたＬＬＲを、ペイロードＰ２に関する調整されたＬＬＲに変換する。次いで、ＵＥは、ペイロードＰ２に関する合成されたＬＬＲを得るために、ペイロードＰ２に関する計算されたＬＬＲと、ペイロードＰ２に関する調整されたＬＬＲとを、（２進演算によって）合計する（加算器８３６）。合成されたＬＬＲは、ペイロードＰ１を含んだ受信されたＰＢＣＨ送信のエネルギー、ならびにペイロードＰ２を含んだ受信されたＰＢＣＨ送信のエネルギーを含む。ＵＥは、復号されたペイロードＰ２を得るために、ペイロードＰ２に関して合成されたＬＬＲを復号する（ブロック８３８）。合成されたＬＬＲのエネルギーがより高いので、正しい復号の確率はより高い。ＵＥは、ペイロードＰ２が正しく復号されたか否かを決定するためにＣＲＣ検査を実行することができる。答えがイエスの場合、ＵＥは、ＰＢＣＨの復号を終了する。
【００５５】
フレームｔ＋１におけるＰＢＣＨ送信が、依然として誤って復号された場合、ＵＥは、フレームｔ＋２においてペイロードＰ３（たとえば、ＭＩＢ）を含んだＰＢＣＨ送信を受信する（ブロック８５２）。ＵＥは、受信されたＰＢＣＨ送信に基づいて、ペイロードＰ３に関するコードビットについてＬＬＲを計算する（ブロック８５４）。ペイロードＰ３に関するＬＬＲは、ＬＬＲ３と表される。ＵＥは、ΔＰ３と表される、ペイロードＰ３とペイロードＰ２との間の差分を決定する（ブロック８４２）。ＵＥは、１２０コードビットを有するコードワードΔＣ３を得るために、ペイロード差分ΔＰ３を符号化する（ブロック８４４）。
【００５６】
次いで、ＵＥは、ペイロードＰ３とペイロードＰ２との間のペイロード差分を考慮することによって、ペイロードＰ３に関する計算されたＬＬＲと、ペイロードＰ２に関する合成されたＬＬＲと、を合成することができる。ペイロードＰ２に関する合成されたＬＬＲは、ペイロードＰ２に関する計算されたＬＬＲ（ＬＬＲ２）、ならびにペイロードＰ１に関する計算されたＬＬＲ（ＬＬＲ１）を含む。ＵＥは、上述したように、ペイロードＰ２に関する合成された各々のＬＬＲの符号（sign）／極性を、コードワードΔＣ３における対応するコードビットに基づいて、（乗算器８４６により）調整することができる。符号（sign）の調整は、ペイロード２に関する合成されたＬＬＲを、ペイロードＰ３に関する調整されたＬＬＲに変換する。次いで、ＵＥは、ペイロードＰ３に関する合成されたＬＬＲを得るために、ペイロードＰ３に関する計算されたＬＬＲと、ペイロードＰ３に関する調整されたＬＬＲと、を合計する（加算器８５６）。ペイロードＰ３に関する合成されたＬＬＲは、ペイロードＰ１、Ｐ２、およびＰ３に関する３つの受信されたＰＢＣＨ送信の合計エネルギーを含む。ＵＥは、復号されたペイロードＰ３を得るために、ペイロードＰ３に関する合成されたＬＬＲを復号する（ブロック８５８）。ＵＥは、ペイロードＰ３が正しく復号されたか否かを決定するためにＣＲＣ検査を実行することができる。答えがイエスの場合、ＵＥはＰＢＣＨの復号を終了することができる。ペイロードＰ３が誤って復号された場合、ＵＥは、次のＰＢＣＨ送信を受信し、ＬＬＲの合成および復号プロセスを繰り返すことができる。
【００５７】
図８に示すように、ＵＥは、ＰＢＣＨ送信が誤って復号されたときには、最後の合成されたＬＬＲ（または、第１のＰＢＣＨ送信に関して計算されたＬＬＲ）を保存する。ＵＥは、より高いエネルギーを有する新たな合成されたＬＬＲを得るために、保存されたＬＬＲを調整し、次のＰＢＣＨ送信に関する計算されたＬＬＲと合成する。より高いエネルギーは、ＰＢＣＨ送信を正しく復号する確率を向上させる。ＵＥは、ＰＢＣＨ送信が正しく復号されるまで、必要なだけ多くのＰＢＣＨ送信に関してＬＬＲを合成する。ＵＥは、誤って復号されたすべてのＰＢＣＨ送信に関する計算されたＬＬＲを含む、合成されたＬＬＲのセットを１つだけ保存することができる。
【００５８】
ＵＥは、変化頻度の低い２つのペイロード（たとえば、ＭＩＢ）間の差分を決定し、そのペイロード差分を使用して、２つのペイロードに関するＬＬＲを合成する。ペイロード差分は、ペイロードの既知の構造および特徴に基づいて決定される。
【００５９】
ＭＩＢとは異なり、システムフレーム番号（ＳＦＮ）は、１つのＰＢＣＨ送信から次のＰＢＣＨ送信へと変化する。同期ネットワークでは、すべてのｅＮＢが、同一のフレームタイミングおよび同一のＳＦＮを有する。ＵＥは、任意のｅＮＢから現在のフレームのＳＦＮを得ることが可能であり得る。ＵＥは、現在のフレームに関する既知のＳＦＮを１だけインクリメントすることによって、次のフレームに関するＳＦＮを計算する。ＵＥは、（ｉ）次のフレームに関する計算されたＳＦＮを使用すること、ならびに（ｉｉ）ＭＩＢおよび予約ビットが次のフレームで変化しないとみなすこと、によって、次のフレームに関するペイロード全体を決定することができる。これで、ペイロード差分は、（ｉ）ＭＩＢおよび予約ビットについてのゼロ、ならびに（ｉｉ）現在のフレームに関する既知のＳＦＮと次のフレームに関する計算されたＳＦＮとの間の差分、を含むことができる。ペイロード差分は、上述のように、ＬＬＲの調整のために使用されるコードビットを得るために、処理される（たとえば、ＣＲＣを付加され、符号化される）ことができる。
【００６０】
ネットワークが非同期である場合、ＵＥは、現在のフレームのＳＦＮを知らないことがある。１つの実施形態では、ＵＥは、考えられるすべてのＳＦＮ差分に関してＬＬＲの合成および復号を実行する。ＳＦＮが各フレームにおいて１だけインクリメントされる場合、８つのＳＦＮ差分が考えられ、表１に示される。表１の値は、２進数で与えられており、各ｘは、「０」または「１」のいずれかでありうる。
【表１】
2013504978.tif 000003
【００６１】
ＵＥは、考えられるＳＦＮ差分の各々に関してＬＬＲの合成および復号を実行する。次いで、ＵＥは、ＣＲＣ検査に基づいて、所与のＳＦＮ差分が正しいか否かを決定する。
【００６２】
ＵＥは、上述のように、ＭＩＢおよび予約ビットについて同一の値とみなすことができる。別の実施形態では、ＵＥは、１予約ビットが使用されている（すなわち、フレームによって異なっている）とみなし、次いで、２つの仮定、すなわち、その予約ビットがフレームによって変化しないという１つの仮定、およびその予約ビットがフレームによって変化するという別の仮定について、ＬＬＲの合成および復号を実行することができる。ＵＥは、また、複数の予約ビットが使用されているとみなすこともでき、使用される複数の予約ビットに関する考えられる差分の各々について、ＬＬＲの合成および復号を実行することができる。
【００６３】
一般的に、ＵＥは、ブラインド復号を実行することができ、ペイロードの構造および特徴に基づいて、すべての考えられるペイロード差分または仮定を決定することができる。ＵＥは、考えられるペイロード差分の各々について、ＬＬＲの合成および復号を実行し、ＣＲＣ検査に基づいて、そのペイロード差分について復号が正しいかまたは誤っているかを検査することができる。ＵＥは、ペイロードのより多くのビットが、既知でなく、変化し得る場合、より多くの仮定を評価する。
【００６４】
図９は、通信システムにおいて復号を実行するためのプロセス９００の一設計を示す。プロセス９００は、ＵＥ、基地局／ｅＮＢ、または他の何らかのエンティティの一部でありうる、受信機によって実行されることができる。受信機は、第１のペイロード（たとえば、Ｐ１）を搬送する第１の受信された送信について第１の判定メトリック（たとえば、ＬＬＲ１）を決定することができる（ブロック９１２）。受信機は、第２のペイロード（たとえば、Ｐ２）を搬送する第２の受信された送信について第２の判定メトリック（たとえば、ＬＬＲ２）を決定する（ブロック９１４）。第１および第２のペイロードは、システム情報および／または他のタイプの情報を含むことができる。第１および第２の受信された送信は、ＰＢＣＨまたは他の何らかのチャネルに関するものであることができる。受信機は、第２のペイロードと第１のペイロードとの間のペイロード差分（たとえば、ΔＰ２）を決定する（ブロック９１６）。受信機は、合成された判定メトリック（たとえば、ΔＣ２）を得るために、ペイロード差分に基づいて、第１および第２の判定メトリックを合成する（ブロック９１８）。判定メトリックは、コードビットに関するＬＬＲ、または復号のための他の何らかのメトリックであることができる。受信機は、復号された第２のペイロードを得るために、合成された判定メトリックを復号する（ブロック９２０）。受信機は、第２のペイロードに付加されたＣＲＣに基づいて、第２のペイロードが正しく復号されたか否かを決定することができる。
【００６５】
ブロック９１６では、受信機は、ペイロードの既知の構造および特徴に基づいて、ペイロード差分を決定することができる。１つの実施形態では、各ペイロードは、第１の部分（たとえば、ＭＩＢおよび予約ビット）、および第２の部分（たとえば、ＳＦＮ）である。受信機は、（ｉ）第１および第２のペイロードの第１の部分に変化がない、ならびに（ｉｉ）第２の部分が第１のペイロードから第２のペイロードへと既知の変化をする（たとえば、１だけインクリメントする）、という仮定に基づいて、ペイロード差分を決定することができる。別の実施形態では、第１および第２のペイロードは、第１および第２のペイロード間で、複数の考えられる差分を有する部分を含む（たとえば、ＳＦＮが既知でない場合、および／または予約ビットが使用される場合）。複数の考えられるペイロード差分は、上記部分での複数の考えられる差分に基づいて決定されることができる。受信機は、第２のペイロードが正しく復号されるまで、または、考えられるペイロード差分すべてが評価されるまで、考えられるペイロード差分の各々について、プロセスを繰り返す（たとえば、ペイロード差分を決定する、判定メトリックを合成する、および合成された判定メトリックを復号する）。
【００６６】
ブロック９１８の１つの実施形態では、受信機は、コードビットを得るために送信機で実行されるのと同じ方式で、ペイロード差分を処理する。受信機は、ペイロード差分についてＣＲＣを生成する。次いで、受信機は、コードビットを得るために第１のペイロードおよび第２のペイロードを符号化するために送信機によって使用された同じ線形コードに基づいて、ペイロード差分およびＣＲＣを復号する。受信機は、調整された第１の判定メトリックを得るために、コードビットに基づいて、第１の判定メトリックの符号（sign）を調整する。ペイロード差分について得られた各コードビットに関し、受信機は、（ｉ）コードビットが第１の値（たとえば、「１」）を有する場合には、そのコードビットについて第１の判定メトリックの符号（sign）を反転する、または（ｉｉ）コードビットが第２の値（たとえば、「０」）を有する場合には、第１の判定メトリックの符号（sign）を維持する、ことができる。受信機は、次いで、合成された判定メトリックを得るために、調整された第１の判定メトリックおよび第２の判定メトリックを合計する。
【００６７】
１つの実施形態では、受信機は、復号された第１のペイロードを得るために、第１の判定メトリックを復号する。受信機は、第１のペイロードが誤って復号されたときには、ブロック９１４から９２０において、第２の判定メトリックを決定し、ペイロード差分を決定し、第１および第２の判定メトリックを合成し、合成された判定メトリックを復号することができる。
【００６８】
別の実施形態では、第２のペイロードが誤って復号された場合、受信機は、第３のペイロード（たとえば、Ｐ３）を搬送する第３の受信された送信について第３の判定メトリック（たとえば、ＬＬＲ３）を決定する。受信機は、第３のペイロードと第２のペイロードとの間の第２のペイロード差分（たとえば、ΔＰ３）を決定する。受信機は、第２の合成された判定メトリック（たとえば、ΔＣ３）を得るために、第２のペイロード差分に基づいて、合成された判定メトリックと第３の判定メトリックとを合成する。次いで、受信機は、復号された第３のペイロードを得るために、第２の合成された判定メトリックを復号する。受信機は、第３のペイロードが誤って復号された場合、プロセスを繰り返すことができる。
【００６９】
１つの構成では、ワイヤレス通信のために構成されたＵＥ１２０／ｅＮＢ１１０は、第１の判定メトリックを決定するための手段と、第２の判定メトリックを決定するための手段と、第２のペイロードと第１のペイロードとの間のペイロード差分を決定するための手段と、を含む。ＵＥ１２０／ｅＮＢ１１０は、また、第１および第２の判定メトリックを合成するための手段と、復号するための手段と、を含むことができる。１つの態様では、上記手段は、上記手段によって記載された機能を実行するように構成された、（１つ以上の）プロセッサ、コントローラ／プロセッサ４８０、メモリ４８２、受信プロセッサ４５８、ＭＩＭＯ検出器４５６、復号器４５４ａ、およびアンテナ４５２ａであることができる。別の態様では、上記手段は、上記手段によって記載された機能を実行するように構成されたモジュールまたは任意の装置であることができる。
【００７０】
当業者は、情報および信号がさまざまな異なる技術および技法のいずれかを用いて表されうることを理解するだろう。たとえば、上記の説明全体にわたって言及されたデータ、命令、コマンド、情報、信号、ビット、シンボル、およびチップは、電圧、電流、電磁波、磁場または磁性粒子、光場または光粒子、またはそれらの任意の組み合わせによって表されることができる。
【００７１】
図８〜図９における機能ブロックおよびモジュールは、プロセッサ、電子デバイス、ハードウェアデバイス、電子コンポーネント、論理回路、メモリ、ソフトウェアコード、ファームウェアコード等、またはそれらの任意の組み合わせであることができる。
【００７２】
当業者は、さらに、ここでの開示に関連して説明されたさまざまな例示的な論理ブロック、モジュール、回路、およびアルゴリズムのステップが、電子ハードウェア、コンピュータソフトウェア、または両者の組み合わせとして実現されうることを理解するだろう。ハードウェアとソフトウェアとのこの相互互換性をわかりやすく説明するために、さまざまな例示的なコンポーネント、ブロック、モジュール、回路、およびステップは、それらの機能の観点から一般的に上述されている。そのような機能がハードウェアで実現されるかソフトウェアで実現されるかは、システム全体に課せられた特定の用途および設計の制約によって決まる。当業者は、特定の用途ごとに異なる手法で、説明された機能を実現することができるが、そのような実現の決定は、本開示の範囲から逸脱するものと解釈されるべきではない。
【００７３】
ここでの開示に関連して説明された、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理、ディスクリートハードウェアコンポーネント、またはここで説明された機能を実行するように設計されたそれらの任意の組み合わせを用いて、実現または実行されることができる。汎用プロセッサは、マイクロプロセッサであることができるが、その代わりに、プロセッサは、任意の従来のプロセッサ、コントローラ、マイクロコントローラ、またはステートマシンであることができる。プロセッサは、また、コンピューティングデバイスの組み合わせとして、たとえば、ＤＳＰと、１つのマイクロプロセッサ、複数のマイクロプロセッサ、ＤＳＰコアと結合された１つ以上のマイクロプロセッサの組み合わせ、または任意の他のそのような構成として、実現されることもできる。
【００７４】
ここでの開示に関連して説明された方法またはアルゴリズムの諸ステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で知られている任意の他の形態の記憶媒体中に存在することができる。例示的な記憶媒体は、プロセッサが記憶媒体から情報を読み出し、記憶媒体に情報を書き込むことができるように、プロセッサに結合される。代替的に、記憶媒体は、プロセッサに一体化されることもできる。プロセッサおよび記憶媒体は、ＡＳＩＣ中に存在することができる。ＡＳＩＣは、ユーザー端末中に存在することができる。代替的に、プロセッサおよび記憶媒体は、ユーザー端末中にディスクリートコンポーネントとして存在することもできる。
【００７５】
１つ以上の例示的な設計において、ここで説明された機能は、ハードウェア、ソフトウェア、ファームウェア、またはそれらの任意の組み合わせで実現されることができる。ソフトウェアで実現される場合、その機能は、コンピュータ可読媒体上で、１つ以上の命令またはコードとして記憶され、または伝送されることができる。コンピュータ可読媒体は、コンピュータ記憶媒体、および１つの場所から別の場所へのコンピュータプログラムの移動を容易にする任意の媒体を含む通信媒体の両方を含む。記憶媒体は、汎用または専用のコンピュータによってアクセス可能な、任意の入手可能な媒体であることができる。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令もしくはデータ構造の形態で所望のプログラムコード手段を搬送もしくは記憶するために使用可能で、汎用もしくは専用のコンピュータ、または汎用もしくは専用のプロセッサによってアクセス可能な、任意の他の媒体を含むことができる。また、任意の接続も、適切にコンピュータ可読媒体と呼ばれる。たとえば、ソフトウェアが、ウェブサイト、サーバー、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して伝送される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、データを磁気的に再生するが、ディスク（disc）は、レーザーを用いて光学的にデータを再生する。上述したものの組み合わせも、また、コンピュータ可読媒体の範囲内に含まれるべきである。
【００７６】
この開示の以上の説明は、この開示を製造または使用することをいずれの当業者にも可能にするために提供されている。この開示に対するさまざまな変更は、当業者に容易に理解され、ここで定義された一般的な原理は、この開示の精神または範囲から逸脱せずに、他の変形例にも適用されることができる。このように、この開示は、ここで説明された例および設計に限定されることは意図しておらず、ここで開示された原理および新規な特徴と一致する最も広い範囲が付与されるべきである。
【図１】
2013504978.tif 000004
【図２】
2013504978.tif 000005
【図３】
2013504978.tif 000006
【図４】
2013504978.tif 000007
【図５】
2013504978.tif 000008
【図６】
2013504978.tif 000009
【図７】
2013504978.tif 000010
【図８】
2013504978.tif 000011
【図９】
2013504978.tif 000012
【国際調査報告】
2013504978.tif 000013